(57)【要約】【課題】化粧料の脱落等をより確実に防止することができる化粧料用中皿および化粧料容器を提供する。【解決手段】中皿１０は、隣り合う周側壁１４ａ〜１４ｄが接合される四隅がアール状の角型箱体形状である。四隅（Ｒ１の部位）の内面のそれぞれに溝部１６ａ〜１６ｄが形成され、さらに溝部１６ａ〜１６ｄの下方に突起部１８ａ〜１８ｄが設けられる（図１では溝部１６ｃおよび突起部１８ｃは現れない。）。粉末化粧料を中皿１０に加圧充填する際に、突起部１８ａ〜１８ｄが圧下に対する抵抗となって粉末化粧料が溝部１６ａ〜１６ｄ内により密に充填される。【選択図】図１
0003128419.tif 000002
【実用新案登録請求の範囲】
【請求項１】
底面と周側壁とで画成される凹部に粉末化粧料を加圧充填し、化粧料容器に装着して用いる化粧料用中皿において、
該周側壁の内面に、該底面と平行に延出する溝部を１本または複数本を設けるとともに該溝部の下方である該底面方向側に該周側壁から突出する突起部をそれぞれの溝部について設けてなることを特徴とする化粧料用中皿。
【請求項２】
四隅がアール状に形成される角型箱体形状であり、該四隅のそれぞれに前記溝部および前記突起部を設けてなることを特徴とする請求項１記載の化粧料用中皿。
【請求項３】
前記突起部の前記周側壁との接合辺の長さが前記溝部の長さとほぼ等しいことを特徴とする請求項１または２記載の化粧料用中皿。
【請求項４】
前記突起部が前記底面に向けて階段状に形成されてなることを特徴とする請求項１〜３のいずれか１項に記載の化粧料用中皿。
【請求項５】
請求項１〜４のいずれか１項に記載の化粧料用中皿が装着されてなることを特徴とする化粧料容器。
【考案の詳細な説明】
【技術分野】
【０００１】
本考案は、粉末化粧料を加圧充填し、化粧料容器に装着して用いる化粧料用中皿およびその化粧料用中皿が装着される化粧料容器に関する。
【背景技術】
【０００２】
例えばファンデーション等の粉末化粧料は、中皿（化粧料用中皿）の凹部に加圧充填され、その中皿が化粧料容器（コンパクト容器）の内部に装着された状態で使用される。
【０００３】
このような中皿に加圧充填された粉末化粧料は、スポンジで適量が表面から擦り取られて用いられる。
【０００４】
ところが、何らかの原因で中皿に衝撃や振動が加わると、中皿に充填された化粧料にひび割れが生じたり、極端な場合は化粧料が中皿から脱落したりすることが起こりえる。特に、周側壁の隅角部や周側壁と底面の接続部分等がアール状に形成された中皿の場合、これらの現象がより顕著に生じる。
後者の化粧料が中皿から脱落する場合は、一般の使用者が脱落した化粧料を中皿に再充填することは困難であるため、新品に交換することを余儀なくされる。一方、前者の化粧料にひび割れが生じる場合でも、ひび割れ状態の化粧料をスポンジで適量取ることは難しくなるため、この場合においても、新品に交換することを余儀なくされることになる。
【０００５】
このような化粧料のひび割れや脱落を防止するために、中皿の構造についての工夫が種々行なわれている。
【０００６】
例えば、本出願人は、先に、側面壁に凹部を形成した中皿を開示している。この中皿によれば、凹部に嵌入する化粧料がアンカー作用を果たし、化粧料の衝撃強度を大きく向上させることができる（特許文献１参照）。
【０００７】
また、内壁面が曲面部を介して底面に接合された化粧料用中皿において、底面を除く内面に突出する突起を周方向に間隙をおいて複数設けることが提案されている。この中皿によれば、突起の存在によって化粧料と中皿の内周面との間の接触面積を増加することができるとともに、突起が化粧料の内部に食い込んでアンカー効果を発揮し、化粧料が中皿から脱落したりするのを効果的に回避することが可能になるとされている（特許文献２、３参照）。
【特許文献１】実開平７−９２０９号公報
【特許文献２】特開２００２−１９９９２８号公報
【特許文献３】特開２００３−５２４４５号公報
【考案の開示】
【考案が解決しようとする課題】
【０００８】
しかしながら、上記従来の中皿は、いずれも、化粧料の脱落等を確実に防止するためには化粧料の耐衝撃強度についての更なる改善が必要であるものと思われる。
【０００９】
本考案は、上記の課題に鑑みてなされたものであり、化粧料の脱落等をより確実に防止することができる化粧料用中皿および化粧料容器を提供することを目的とする。
【課題を解決するための手段】
【００１０】
本考案に係る化粧料用中皿は、底面と周側壁とで画成される凹部に粉末化粧料を加圧充填し、化粧料容器に装着して用いる化粧料用中皿において、該周側壁の内面に、該底面と平行に延出する溝部を１本または複数本を設けるとともに該溝部の下方である該底面方向側に該該周側壁から突出する突起部をそれぞれの溝部について設けてなることを特徴とする。
【００１１】
また、本考案に係る化粧料用中皿は、四隅がアール状に形成される角型箱体形状であり、該四隅のそれぞれに前記溝部および前記突起部を設けてなることを特徴とする。
【００１２】
また、本考案に係る化粧料用中皿は、前記突起部の前記周側壁との接合辺の長さが前記溝部の長さとほぼ等しいことを特徴とする。
【００１３】
また、本考案に係る化粧料用中皿は、前記突起部が前記底面に向けて階段状に形成されてなることを特徴とする。
【００１４】
また、本考案に係る化粧料容器は、上記の化粧料用中皿が装着されてなることを特徴とする。
【考案の効果】
【００１５】
本考案の化粧料用中皿および化粧料容器は、底面と周側壁とで画成される凹部に粉末化粧料を加圧充填し、化粧料容器に装着して用いる化粧料用中皿において、周側壁の内面に、底面と平行に延出する溝部を設けるとともに溝部の下方に周側壁から突出する突起部を設けるため、粉末化粧料を中皿に加圧充填する際に、突起部が圧下に対する抵抗となって粉末化粧料が溝部内により密に充填されることで、衝撃等によって生じうる化粧料の脱落等をより確実に防止することができる。
【考案を実施するための最良の形態】
【００１６】
本考案に係る化粧料用中皿および化粧料容器の実施の形態について図を参照して説明する。
【００１７】
本考案に係る化粧料用中皿（以下、単に中皿ということがある。）は、底面と周側壁とで画成される凹部に粉末化粧料を加圧充填し、化粧料容器に装着して用いるものである。加圧充填する粉末化粧料は、粉状のファンデーションであると本考案の効果をより好適に発揮することができるが、これに限らず、アイシャドウ、ブラッシャー、口紅、頬紅等であってもよい。
【００１８】
図１の斜視図および図２の平面図に示す第一の実施形態例の中皿１０は、角型箱体形状であり、底面１２の外周に四辺の周側壁１４ａ〜１４ｄが立設され、これにより凹部１５が画成される。ただし、これに限らず、中皿１０は、例えば円筒箱体等の適宜の他の形状であってもよい。
【００１９】
中皿１０の隣り合う周側壁１４ａ〜１４ｄが接合される四隅は、アール状（図１中、矢印Ｒ１で示す。）に形成されている。また、底面１２と周側壁１４ａ〜１４ｄの接続部分が周側壁のほぼ全周にわたってアール状（図１中、矢印Ｒ２で示す。）に形成されている。ただし、これに限らず、それぞれのアール状の部位を設けることなく、平面の端部がそのまま突合せ接合された形態であってもよい。また、底面１２と周側壁１４ａ〜１４ｄの接続部分の全周でなく、適宜の部位、例えば周側壁１４ａ〜１４ｄの長さ方向中央等に部分的にアール状部位を設けてもよい。
【００２０】
中皿１０の周側壁１４ａ〜１４ｄが接合される四隅（Ｒ１の部位）の内面のそれぞれには、例えば周側壁の高さ方向中央部に、底面１２と平行に、Ｒ１の部位の全面にわたって延出する溝部１６ａ〜１６ｄが形成される。さらに溝部１６ａ〜１６ｄの下方、すなわち底面方向側に周側壁１４ａ〜１４ｄから突出する、平面視半月状の突起部１８ａ〜１８ｄが設けられる。
この場合、溝部１６ａ〜１６ｄは、Ｒ１の部位の一部に設けてもよく、また、Ｒ１の部位を越えて、周側壁１４ａ〜１４ｄの平面部位にまで延出するように設けてもよい。また、溝部をＲ１の部位に代えて、あるいはＲ１の部位とともに、周側壁１４ａ〜１４ｄの平面部位に設けてもよい。
また、突起部１８ａ〜１８ｄの平面視形状は特に限定するものではないが、本考案の効果を得るのに十分な程度の平面面積を持つことが必要である。また、このとき、突起部１８ａ〜１８ｄは、図示するように周側壁との接合辺のとなる弧状部分の長さが弧状に形成される溝部１６ａ〜１６ｄの長さとほぼ同じであることが好ましいが、これに限らず、周側壁との接合辺のとなる弧状部分の長さを弧状に形成される溝部１６ａ〜１６ｄの長さよりも短くなるように形成してもよく、また、その逆に、周側壁との接合辺のとなる弧状部分の長さを弧状に形成される溝部１６ａ〜１６ｄの長さよりも長くなるように形成してもよい。また、図２中３−３線上断面図である図３をさらに参照して示す図示例では突起部１８ａ〜１８ｄは底面１２から隆起するように設けているが、ただし、これに代えて、突起部１８ａ〜１８ｄを底面１２から浮いた状態に設けてもよい。また、突起部１８ａ〜１８ｄを、溝部１６ａ〜１６ｄに近接し、かつ僅かに溝部１６ａ〜１６ｄから離間した位置に、底面１２から隆起するように設けてもよい。なお、溝部を周側壁１４ａ〜１４ｄの平面部分に形成するときには、これに対応して突起部を形成する。
【００２１】
突起部１８ａ〜１８ｄを含む中皿１０は、適宜の樹脂や金属を材料に用いて成形加工することにより形成することができる。
中皿１０の厚みは特に限定するものではなく、例えば０．１〜数十ｍｍ程度とすることができる。図示例の中皿１０の厚みは、底面１２の厚みが１．７ｍｍ、周側壁１４ａ〜１４ｄの厚みが１．２５ｍｍである。また、図示例の中皿１０の外形長さ寸法は、周側壁１４ａ、１４ｃが５０．５ｍｍ、周側壁１４ｂ、１４ｄが４５ｍｍであり、底面１２からの各周側壁１４ａ〜１４ｄの高さ寸法は６ｍｍである。また、図示例の中皿１０のアール状部（Ｒ１）の曲率半径が９ｍｍ、アール状部（Ｒ２）の曲率半径が１ｍｍである。
このような図示例の中皿１０に設ける溝部１６ａ〜１６ｄは、幅が１ｍｍ、長さが１４ｍｍ、深さが０．５ｍｍである。なお、これら溝部１６ａ〜１６ｄの各寸法については、適宜の大きさとすることができる。
また、図示例の中皿１０に設ける突起部１８ａ〜１８ｄは、周側壁との接合辺の長さが溝部１６ａ〜１６ｄの長さと同じ１４ｍｍ、平面視半円形状の平面部分の最大突出幅が１．３ｍｍ、底面１２からの高さが１．８ｍｍである。なお、これら突起部１８ａ〜１８ｄの各寸法については、適宜の大きさとすることができる。
【００２２】
上記のように構成される本考案に係る中皿１０は、粉末化粧料を中皿に加圧充填する際に、突起部が圧下に対する抵抗となって粉末化粧料が溝部内により密に充填されることによるアンカー作用により、化粧料の耐衝撃強度を高め、衝撃等によって生じうる化粧料の脱落等をより確実に防止することができる。また、突起部を底面から浮いた状態に形成すると、突起部のアンカー作用も期待できる。
【００２３】
つぎに、図４〜図６を参照して第二の実施の形態例の中皿１０ａについて説明する。
中皿１０ａは、第一の実施の形態例の中皿１０とほぼ同一形状、同一寸法である。以下、中皿１０の構造と重複する説明は省いて、中皿１０ａの特徴部分についてのみ説明する。
【００２４】
中皿１０ａは、四隅のアール状部分（Ｒ１部位）のそれぞれの外面下部に、球殻状の凹部２０ａ〜２０ｄが形成されている（ただし、凹部２０ｂ、２０ｄは図面に現れていない。）。
中皿１０ａの四隅のアール状部分（Ｒ１部位）の内面には、溝部１６ａ〜１６ｄが形成されるとともに、それぞれの溝部１６ａ〜１６ｄの下方に３層の階段状の突起部２２ａ〜２２ｄが形成される。
図示例の中皿１０ａは、凹部２０ａ〜２０ｄの曲率半径が３ｍｍであり、突起部２２ａ〜２２ｄは、最上段の側面壁からの最大突出幅が１．３ｍｍ、中段からの高さが０．５ｍｍ、中段の最上段からの突出幅が１．１ｍｍ、最下段からの高さが０．５ｍｍ、最下段の中段からの突出幅が５ｍｍ、最下段からの高さが０．５ｍｍである。ただし、これらの各寸法は、特に限定するものではなく、適宜の寸法とすることができる。
上記のように構成される第二の実施の形態例の中皿１０ａは、第一の実施の形態例の中皿１０と同様の効果を得ることができる。
【００２５】
つぎに、図７に例示するように、本考案に係る化粧料容器（コンパクト容器）２４は、化粧料（矢印Ａで示す。）が加圧充填された、例えば上記本考案に係る化粧料用中皿１０が装着されたものである。なお、矢印Ｂはパフ（スポンジ）を示す。
化粧料容器１８は、上記した化粧料用中皿１０の効果を奏することができる。
【実施例】
【００２６】
実施例および比較例を挙げて、本発明をさらに説明する。なお、本発明は、以下に説明する実施例に限定されるものではない。
【００２７】
（実施例）
粉末化粧料として以下の組成のものを用い、この粉末化粧料を本考案の第一の実施の形態例の化粧料用中皿１０に加圧充填した状態で、粉末化粧料の耐衝撃強度を以下の要領で評価した。
（粉末化粧料の組成）
体質顔料  ６２質量％、白色顔料  ９質量％、着色顔料  ３質量％、機能性粉末  １２質量％、油分  ９質量％、紫外線吸収剤  ３質量％、界面活性剤  １質量％、その他  １質量％
（耐衝撃強度の評価要領）
化粧料用中皿１０をセットしたコンパクト容器を天地逆にして、すなわち、化粧料用中皿１０の粉末化粧料が露出した側を下に向けて、高さ３０ｃｍの位置からベニヤ板の上に落下させた。落下後の化粧料表面の欠けの状況を目視観察し、５０％以上が欠けるまでの落下繰り返し回数を測定した。試験は、Ｎ＝１０で行い、５０％以上が欠けるまでの落下繰り返し回数の平均値と、３σばらつきを表１に示す。
【００２８】
（比較例）
化粧料用中皿として化粧料用中皿１０のような溝部１６ａ〜１６ｄおよび突起部１８ａ〜１８ｄ、２２ａ〜２２ｄが形成されていない通常のものを用いたほかは、実施例と同様の条件で評価した。結果を表１に示す。
【００２９】
【表１】
0003128419.tif 000003
【図面の簡単な説明】
【００３０】
【図１】本考案の第一の実施の形態例の化粧料用中皿を説明するための、化粧料用中皿の斜視図である。
【図２】本考案の第一の実施の形態例の化粧料用中皿を説明するための、化粧料用中皿の平面図である。
【図３】本考案の第一の実施の形態例の化粧料用中皿を説明するための、図２中、ＩＩＩ−ＩＩＩ線上で破断して示した化粧料用中皿の断面図である。
【図４】本考案の第二の実施の形態例の化粧料用中皿を説明するための、化粧料用中皿の斜視図である。
【図５】本考案の第二の実施の形態例の化粧料用中皿を説明するための、化粧料用中皿の平面図である。
【図６】本考案の第二の実施の形態例の化粧料用中皿を説明するための、図５中、ＶＩ−ＶＩ線上で破断して示した化粧料用中皿の断面図である。
【図７】本考案の化粧料容器の一例を説明するための、化粧料容器の組み立て分解斜視図である。
【符号の説明】
【００３１】
１０  中皿
１２  底面
１４ａ〜１４ｄ  周側壁
１６ａ〜１６ｄ  溝部
１８ａ〜１８ｄ、２２ａ〜２２ｄ  突起部
２４  化粧料容器
【図１】
0003128419.tif 000004
【図２】
0003128419.tif 000005
【図３】
0003128419.tif 000006
【図４】
0003128419.tif 000007
【図５】
0003128419.tif 000008
【図６】
0003128419.tif 000009
【図７】
0003128419.tif 000010